(57)【要約】  【課題】  給油の際に回動して油量計を映す鏡体を設けることによって、身体をかがめることなく、立ったままの楽な姿勢で油量を確認できるカートリッジタンクを提供すること。  【解決手段】  石油暖房器本体１内へのカートリッジタンク３の収納時の燃料補給口１１を下部に配置した状態では、支持体１０に対して鏡体１５が自重でわずか下降して、支軸１７の一つの角部が第１溝部１９Ａに嵌合することにより、鏡体１５は油量計６全体を覆うように垂直方向に閉じる。給油の際にカートリッジタンク３を上下反転させた場合には、鏡体１５が自重でわずか下降して、支軸１７の前記角部が第１溝部１９Ａから外れて第２溝部１９Ｂ内に移動して前記鏡体１５の回動が許され、鏡体１５の一部１５Ａがタンク本体側に当接して垂直から略４５度の位置にて停止する。  【選択図】  図７
2005299973.tif 000002
【特許請求の範囲】
【請求項１】
石油暖房器の燃料補給を行うもので液体燃料の油量を示す油量計を備えたカートリッジタンクにおいて、タンク本体に固定される支持体と、この支持体に回動可能に支持されて給油の際に回動して前記油量計を映す鏡体とを設けたことを特徴とするカートリッジタンク。
【請求項２】
石油暖房器の燃料補給を行うもので液体燃料の油量を示す油量計を備えたカートリッジタンクにおいて、埋設されたマグネットを介して磁性体で作製されたタンク本体に固定される支持体と、この支持体に回動可能に支持されて給油の際に回動して前記油量計を映す鏡体とを設けたことを特徴とするカートリッジタンク。
【請求項３】
石油暖房器の燃料補給を行うもので液体燃料の油量を示す油量計を備えたカートリッジタンクにおいて、タンク本体に固定される支持体と、この支持体に回動可能に支持されて給油の際に回動して前記油量計を映す鏡体とを設け、前記鏡体の両側面又は前記鏡体の取付のために形成された前記支持体の凹部を形成する対向する側面にそれぞれ支軸を突設させると共に、前記支持体の対向する側面又は前記鏡体の両側面に前記各支軸が嵌合する嵌合溝をそれぞれ形成し、前記石油暖房器内への収納時には前記鏡体は閉じ、給油の際に上下反転させた場合には回動して前記鏡体は開いて前記油量計を映すようにしたことを特徴とするカートリッジタンク。
【請求項４】
前記各支軸には少なくとも一つの角部を形成すると共に、前記各嵌合溝を前記石油暖房器内への収納時には前記支軸の前記角部が嵌合して前記鏡体が回動しないようにするための第１溝部と給油の際に上下反転させた場合には前記角部が前記第１溝部から外れて前記鏡体の回動を許す第２溝部とから構成したことを特徴とする請求３に記載のカートリッジタンク。
【請求項５】
前記各支軸の角部が前記第１溝部から外れて前記第２溝部により前記鏡体が回動した際に、この鏡体の一部がタンク本体側に当接してその回動が制限されることを特徴とする請求項４に記載のカートリッジタンク。
【請求項６】
前記支持体が固定されるタンク本体は、前記油量計の窓枠であることを特徴とする請求項１乃至３のいずれかに記載のカートリッジタンク。
【発明の詳細な説明】
【技術分野】
【０００１】
本発明は、石油暖房器の燃料補給を行うもので液体燃料の油量を示す油量計を備えたカートリッジタンクに関するものである。
【背景技術】
【０００２】
この種のカートリッジタンクにおける油量計は、例えば特許文献１等に開示されているが、この油量計はカートリッジタンクの側面に設置してあり、またカートリッジタンクを石油暖房器に収納したときに油量が正面では見にくくなっている。そのためレンズ効果を備えたプリズム透明体等で屈折させて油量計を見やすくしている。
【特許文献１】特開２０００−９３１３号公報
【発明の開示】
【発明が解決しようとする課題】
【０００３】
しかし、石油暖房器からカートリッジタンクを取り出して、このカートリッジタンクに液体燃料を給油する際、地面に置かれたカートリッジタンク側面の油量窓位置まで身体をかがめて油量の確認をしなければならない。
【０００４】
そこで本発明は、給油の際に回動して油量計を映す鏡体を設けることによって、身体をかがめることなく、立ったままの楽な姿勢で油量を確認できるカートリッジタンクを提供することを目的とする。
【課題を解決するための手段】
【０００５】
このため第１の発明は、石油暖房器の燃料補給を行うもので液体燃料の油量を示す油量計を備えたカートリッジタンクにおいて、タンク本体に固定される支持体と、この支持体に回動可能に支持されて給油の際に回動して前記油量計を映す鏡体とを設けたことを特徴とする。
【０００６】
第２の発明は、石油暖房器の燃料補給を行うもので液体燃料の油量を示す油量計を備えたカートリッジタンクにおいて、埋設されたマグネットを介して磁性体で作製されたタンク本体に固定される支持体と、この支持体に回動可能に支持されて給油の際に回動して前記油量計を映す鏡体とを設けたことを特徴とする。
【０００７】
第３の発明は、石油暖房器の燃料補給を行うもので液体燃料の油量を示す油量計を備えたカートリッジタンクにおいて、タンク本体に固定される支持体と、この支持体に回動可能に支持されて給油の際に回動して前記油量計を映す鏡体とを設け、前記鏡体の両側面又は前記鏡体の取付のために形成された前記支持体の凹部を形成する対向する側面にそれぞれ支軸を突設させると共に、前記支持体の対向する側面又は前記鏡体の両側面に前記各支軸が嵌合する嵌合溝をそれぞれ形成し、前記石油暖房器内への収納時には前記鏡体は閉じ、給油の際に上下反転させた場合には回動して前記鏡体は開いて前記油量計を映すようにしたことを特徴とする。
【０００８】
第４の発明は、第３の発明において、前記各支軸には少なくとも一つの角部を形成すると共に、前記各嵌合溝を前記石油暖房器内への収納時には前記支軸の前記角部が嵌合して前記鏡体が回動しないようにするための第１溝部と給油の際に上下反転させた場合には前記角部が前記第１溝部から外れて前記鏡体の回動を許す第２溝部とから構成したことを特徴とする。
【０００９】
第５の発明は、第４の発明において、前記各支軸の角部が前記第１溝部から外れて前記第２溝部により前記鏡体が回動した際に、この鏡体の一部がタンク本体側に当接してその回動が制限されることを特徴とする。
【００１０】
第６の発明は、第１乃至第３の発明において、前記支持体が固定されるタンク本体は、前記油量計の窓枠であることを特徴とする。
【発明の効果】
【００１１】
本発明によれば、給油の際に回動して油量計を映す鏡体を設けることによって、身体をかがめることなく、立ったままの楽な姿勢で油量を確認できるカートリッジタンクを提供することができる。
【発明を実施するための最良の形態】
【００１２】
以下本発明の実施形態について説明する。図１において、１は例えば石油ファンヒータなどの石油暖房器本体で、この石油暖房器本体１の右隅部に燃焼バーナ(図示せず)への液体燃料である灯油の供給に供するカートリッジタンク３が蓋体２を介して着脱可能に設けられる。従って、前記蓋体２を開いてカートリッジタンク３を石油暖房器本体１内に出し入れすることができ、このカートリッジタンク３の上部に設けられて把手４を掴んで持ち運びされる。
【００１３】
図２はカートリッジタンク３の正面図であり、前記把手４の反対側には燃料補給口１１が開設され、この補給口１１密封用のキャップ５が設けられている。そして、燃料補給口１１近傍の側面には金属製、例えば磁性体材料で作製された窓枠７を備えた油量計６が設置され、このカートリッジタンク３内の灯油の残量（油量）が確認できるようになされてある。
【００１４】
図３において、１０はカートリッジタンク３のタンク本体に、例えば前記油量計６の窓枠７に固定される支持体で、その支持側の平面部１３にはマグネット片１２、１２が埋設されている。従って、この支持体１０はマグネット片１２の磁力で前記油量計６の窓枠７に吸着して固定される（図４及び図５参照）。
【００１５】
そして、この支持体１０に鏡体１５が回動可能に支持されて、給油の際にこの鏡体１５が垂直から略４５度の範囲で回動して前記油量計６をこの鏡体１５のミラー１６に映し出され、カートリッジタンク３内の灯油の残量が確認できるものである。
【００１６】
即ち、前記燃料補給口１１を上部に配置した場合に鏡体１５が垂直から略４５度の位置に開き、覆われていた油量計６の全体像が鏡体１５のミラー１６に映しだされ、カートリッジタンク３内の灯油の残量を上方より目視することが可能となり、また把手４を持って燃料補給口１１を下部に配置すると鏡体１５が垂直方向に回動して閉じ、油量計６全体を覆う形になる。
【００１７】
この鏡体１５の支持体１０への取り付け構造について、以下図５乃至図７に基づいて詳述する。先ず、前記鏡体１５の両側面には、少なくとも一つの角部を有する、例えば断面が略正三角形の三角柱状の支軸１７をそれぞれ突設させる。
【００１８】
そして、前記鏡体１５の取付のために形成された前記支持体１０の凹部１８を形成する対向する側面１０Ａ、１０Ａに前記各支軸１７が嵌合する嵌合溝１９をそれぞれ形成する。この嵌合溝１９は、前記石油暖房器本体１内へのカートリッジタンク３の収納時には前記支軸１７の前記一つの角部が嵌合して前記鏡体１５が回動しないようにするための断面が略正三角形状の第１溝部１９Ａと、給油の際にこのカートリッジタンク３を上下反転させた場合には前記角部が前記第１溝部１９Ａから外れて前記鏡体１５の回動を許すためのもので前記第１溝部１９Ａに連通する断面が略半円形状の第２溝部１９Ｂとを備えている。
【００１９】
従って、前記石油暖房器本体１内へのカートリッジタンク３の収納時の燃料補給口１１を下部に配置した状態では、支持体１０に対して鏡体１５が自重でわずか下降して、前記支軸１７の前記一つの角部が第１溝部１９Ａに嵌合することにより、鏡体１５は油量計６全体を覆うように垂直方向に閉じ、この状態では開くことが阻止される（図６参照）。
【００２０】
また、給油の際に燃料補給口１１を上部に配置してカートリッジタンク３を上下反転させた場合には、支持体１０に対して鏡体１５が自重でわずか下降して、前記支軸１７の前記角部が前記第１溝部１９Ａから外れて第２溝部１９Ｂ内に移動して前記鏡体１５の回動が許される。この回動した際に、図７及び図８に示すように、鏡体１５の一部１５Ａがタンク本体側に当接してその回動が制限され、垂直から略４５度の位置にて鏡体１５は停止する。
【００２１】
なお、前記鏡体１５が閉じて、前記支軸１７の前記一つの角部が嵌合する第１溝部１９Ａの頂角の二等分線は第２溝部１９Ｂの中心線上にある。また、第１溝部１９Ａに嵌合している状態の前記支軸１７の嵌合側頂角の二等分線は第２溝部１９Ｂの中心線上に配置されている。即ち、前記支軸１７の嵌合側頂角の二等分線の延長線及び第１溝部１９Ａの頂角の二等分線の延長線は第２溝部１９Ｂの中心を通る。
【００２２】
以上のような構成にすると、前記石油暖房器本体１内へのカートリッジタンク３の収納時の燃料補給口１１を下部に配置した状態では、鏡体１５の自重により前記支軸１７の前記一つの角部が嵌合溝１９の第１溝部１９Ａに嵌合することにより、鏡体１５は油量計６全体を覆うように垂直方向に閉じてロックされ、この状態では開くことが阻止される。
【００２３】
そして、給油の際に蓋体２を開けて把手４を掴んで、石油暖房器本体１からカートリッジタンク３を取り出した後、燃料補給口１１を上部に配置してカートリッジタンク３を上下反転させて、例えば地面上に載置した場合には、支持体１０に対して鏡体１５が自重でわずか下降して、前記支軸１７の前記角部が前記第１溝部１９Ａから外れて第２溝部１９Ｂ内に移動する。そして、鏡体１５の重心が回転支点より外方に位置するため回転モーメントが作用し、前記鏡体１５の回動が許されて回動し、図７に示すように、鏡体１５の一部１５Ａがタンク本体側、即ち前記油量計６の窓枠７に当接してその回動が制限され、垂直から略４５度の位置にて停止する。
【００２４】
従って、図１０に示すように、キャップ５を外して、給油ポンプ２１より伸びたホースにより灯油タンク２０内の灯油をカートリッジタンク３に給油する際に、油量計６の窓枠７に装着した鏡体１５が外方に略４５度開くので、前記油量計６がこの鏡体１５のミラー１６に映し出され、カートリッジタンク３内の灯油の残量が確認でき、確認しながら給油できるものである（図９参照）。
【００２５】
再び、前記カートリッジタンク３を上下反転させて、把手４を掴んで石油暖房器本体１内に収納する際には、鏡体１５は回転しながら自重によりわずか下降し、即ち支軸１７が第２溝部１９Ｂ内で回転しながら、鏡体１５自重によりわずか下降して前記支軸１７の前記一つの角部が嵌合溝１９の第１溝部１９Ａに嵌合し、鏡体１５は油量計６全体を覆うように垂直方向に閉じてロックされ、開くことが阻止される。
【００２６】
なお、以上のような実施形態では、支持体１０を油量計６の窓枠７にマグネット１２を介して固定するようにしたが、これに限らず両面接着剤付きテープにより、或いは図１１に示すように、前記支持体１０の表面側中央下部に凹部２５を開設すると共にこの凹部２５を形成する底面には一部切除してＵ字形状の取付開口２６を開設することにより、カートリッジタンク３への窓枠７の取付用ビス２７を緩めて、このビス２７に前記取付開口２６を嵌合させてビス２７を締め付けることにより凹部２５を形成する底面をビス２７で挟み込み、窓枠７に支持体１０を固定するようにしてもよい。この場合は、窓枠７が非磁性体の場合や確実に固定する必要がある場合に特に有効である。
【００２７】
また、以上のような実施形態では、前記油量計６の窓枠７に支持体１０を固定するようにしたが、これに限らず、油量計６以外のカートリッジタンク３のタンク本体、例えば油量計６周辺（油量計６を除く）のカートリッジタンク３を形成する側壁に設けても良い。
【００２８】
更には、以上のような実施形態では、前記鏡体１５の両側面に支軸１７を突設させると共に支持体１０の凹部１８を形成する対向する側面１０Ａ、１０Ａに前記各支軸１７が嵌合する嵌合溝１９をそれぞれ形成するようにしたが、これに限らず、前記鏡体１５の両側面に前記嵌合溝１９を形成させると共に前記支持体１０の凹部１８を形成する対向する側面１０Ａ、１０Ａに前記各支軸１７を突設させる構造にしてもよい。
【００２９】
以上のように、本発明によれば、カートリッジタンク３へ給油時、その油量計６の油量を鏡体１５に映し出すため、身体をかがめることなく立ったままの楽な姿勢で油量を確認することができる。
【００３０】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００３１】
【図１】石油暖房器本体からカートリッジタンクを取り出した状態を示す図である。
【図２】カートリッジタンクの正面図である。
【図３】支持体に鏡体が取り付けられた状態の斜視図である。
【図４】油量計の窓枠に支持体及び鏡体が取り付けられた状態を示す図である。
【図５】油量計の窓枠に支持体及び鏡体を取り付ける状態を示す図である。
【図６】鏡体が閉じた状態の図４のＡ−Ａ断面図である。
【図７】鏡体が開いた状態の図４のＡ−Ａ断面図である。
【図８】一部破断せるカートリッジタンクの側面図である。
【図９】鏡体が開いた状態のカートリッジタンクの平面図である。
【図１０】カートリッジタンクへの給油作業を説明するための側面図である。
【図１１】支持体をカートリッジタンクに取付ける他の実施形態を示す図である。
【符号の説明】
【００３２】
１        石油暖房器本体
３        カートリッジタンク
６        油量計
７        窓枠
１０      支持体
１１      燃料補給口
１２      マグネット片
１５      鏡体
１５Ａ    鏡体の一部
１７      支軸
１９      嵌合溝
１９Ａ    第１溝部
１９Ｂ    第２溝部
【図１】
2005299973.tif 000003
【図２】
2005299973.tif 000004
【図３】
2005299973.tif 000005
【図４】
2005299973.tif 000006
【図５】
2005299973.tif 000007
【図６】
2005299973.tif 000008
【図７】
2005299973.tif 000009
【図８】
2005299973.tif 000010
【図９】
2005299973.tif 000011
【図１０】
2005299973.tif 000012
【図１１】
2005299973.tif 000013